(57)【要約】【課題】  装置構成の複雑化を招来することなく、赤外線を用いたデータ通信が、外乱光の影響を受け易い環境下においても、良好且つ効率よく行えるようにする。【解決手段】  送信側の赤外線通信装置は、赤外線によるデータ送信を行う期間（ＳＴ１）と行わない期間（ＳＴ２）とを一定周期で交互に繰返し、受信側の赤外線通信装置は、受光手段における受光状態に基づいて外乱光の影響を検出し、外乱光の影響が所定未満であるときのみにデータ通信を行うようにする。【選択図】  図２
2005295191.tif 000002
【特許請求の範囲】
【請求項１】
それぞれが赤外線発光部及び赤外線受光部を有する二以上の赤外線通信装置を備え、これら赤外線通信装置間で赤外線を使用してデータ通信を行なう赤外線通信制御装置であって、
データ通信を開始しようとする一の赤外線通信装置における赤外線発光部は、発光する期間と発光しない期間とをそれぞれ一定期間設け、
他の赤外線通信装置は、赤外線受光部により受光される受信信号の状態に基づいて外乱光の影響を検出し、外乱光の影響が所定未満であるときには、上記一の赤外線通信装置に対して応答信号を送信することにより、上記一の赤外線通信装置との間のデータ通信を開始できるようにし、外乱光の影響が所定以上であるときには、上記一の赤外線通信装置に対して応答信号を送信しないことにより、上記一の赤外線通信装置との間のデータ通信を開始できないようにする
ことを特徴とする赤外線通信制御装置。
【請求項２】
それぞれが赤外線発光部及び赤外線受光部を有する二以上の赤外線通信装置を備え、これら赤外線通信装置間で赤外線を使用してデータ通信を行なう赤外線通信制御装置であって、
一の赤外線通信装置から他の赤外線通信装置へ複数のデータビットから構成される１ブロック単位のデータを通信するときには、受信側の赤外線通信装置は、短時間で回復する瞬間的な外乱光を防ぐために、１ビット単位の状態判定を所定の継続回数、または、所定の継続時間に亘って行い、これら所定の継続回数、または、所定の継続時間における判定結果に基づいて、正しいデータビットを判定する
ことを特徴とする赤外線通信制御装置。
【請求項３】
前記請求項１又は請求項２記載の赤外線通信制御装置を構成する二以上の赤外線通信装置のうちの何れか一と、
設定値及び計量値を記憶するメモリとを備え、
通信を要求する外部の赤外線通信装置との間で、上記赤外線通信装置を介して、上記設定値の書込み、または、上記計量値の読出しに関するデータの通信を行うとき、このデータの通信方向及びこのデータの種類を指示する信号を含めて通信することにより、このデータが設定値であるか、または、計量値であるかの判別を行う
ことを特徴とする電力量計。
【発明の詳細な説明】
【技術分野】
【０００１】
本発明は、複数の赤外線通信装置間において赤外線を使用してデータ通信を行なう赤外線通信制御装置に関し、また、このような赤外線通信制御装置を使用する電力量計に関する。
【背景技術】
【０００２】
近年、消費電力の計量を行う電力量計においては、多機能化が進められており、例えば、時計機能やカレンダー機能を内蔵し、時間帯別の計量を行なうようにした電子式電力量計が提案されている。このような電子式電力量計においては、この電子式電力量計が備えるメモリに対する現在時刻やカレンダーに関する各種設定値の書込みや、このメモリからの時間帯別計量値の定期的な読出しを行う必要がある。
【０００３】
そこで、このような電子式電力量計においては、データ通信用の端子を設け、この端子に接続した通信ケーブルを介するシリアル通信により、この電子式電力量計のメモリに対する各種設定値の書込みや、このメモリからの計量値の読出しを行っている。
【０００４】
しかしながら、電力量計にデータ通信用の端子を設けることや、通信ケーブルを接続することは、電力量計の装置構成の複雑化や製造コストの上昇を招来する。そこで、赤外線通信を使用すれば、データ通信用の端子や通信ケーブルを使用することなく、すなわち、装置構成の複雑化や製造コストの上昇を招来することなく、電力量計のメモリとの間のデータ通信を行うことができる。ところが、電力量計は、屋外において使用されることが多いので、赤外線通信を使用したデータ通信を行おうとしても、外乱光の影響を受け易く、通信ケーブルを使用したデータ通信に比較して、安定した通信を行うことができない。なお、赤外線等の光を用いたデータ通信については、特許文献１に記載されているように、光パルスを使用してデータ通信を行うものが提案されている。すなわち、この特許文献１に記載された技術においては、送信側装置は、発光手段において送信データを光パルスに変換し、受信側装置に向けて出力する。そして、受信側装置は、送信側装置の発光手段から出力された光パルスを、受光手段を介して受信し、受信したパルス信号から、受信データを抽出するようにしている。そして、この技術においては、上記送信側装置は、外乱光の影響を検出するための受光手段を備えており、データ送信中に外乱光の影響が所定以上に大きくなったことが検出されるとデータ送信を中断し、外乱光の影響が所定未満となったときにデータ送信を再開するように制御されている。
【０００５】
また、赤外線を用いたデータ通信については、特許文献２に記載されているように、赤外線によるデータ通信時において、受信信号レベルが低下したときには、データ通信を一時停止の状態とし、受信信号レベルが所定のレベルに回復するまで待つように制御する技術が提案されている。
【特許文献１】特開平９−３１２６１３号公報
【特許文献２】特開２００２−１９８９１０公報
【発明の開示】
【発明が解決しようとする課題】
【０００６】
ところで、上記赤外線を用いたデータ通信においては、外乱光には指向性があり、データ送信中に、受信側装置の受光手段だけが外乱光の影響を受けるようになることがある。ところが、特許文献１に記載された技術においては、送信側装置は、受信側装置の状態を確認することができないので、受信側装置の状態に関係なく、一方的に光パルスを出力することとなる。したがって、この技術においては、受信側装置の受光手段だけが外乱光の影響を受けているときには、良好なデータ通信が行えなくなる虞れがある。また、この技術における送信側装置には、外乱光の影響を専ら検出するための受光手段を設ける必要があるため、装置構成の複雑化や製造コストの上昇が招来される虞れがある。さらに、この技術においては、データ通信中に外乱光の影響が大きくなったときには、データ通信を中止し、外乱光の影響が低下したときに、改めて全てのデータについての送信をやり直すこととなるため、データ通信の効率が低下するという問題点がある。
【０００７】
また、上記特許文献２に記載された技術においては、単なる受信信号レベルの変化を監視しているだけなので、外乱光の影響を判別することができない。すなわち、この技術においては、検出されている受信信号レベルが、本来の受信データのレベルなのか、あるいは、外乱光の影響によって高くなっているレベルなのかを判別することができないので、外乱光の影響があるときには、本来の受信データのレベルが低下していることを検出することができない。
【０００８】
そこで、本発明は、上述した従来の技術の課題を解決するために提案されたものであって、装置構成の複雑化を招来することなく、赤外線を用いたデータ通信が、外乱光の影響を受け易い環境下においても、良好且つ効率よく行えるようになされた赤外線通信制御装置を提供し、また、このような赤外線通信制御装置を用いた電力量計を提供することを目的とするものである。
【課題を解決するための手段】
【０００９】
本発明は、上記目的を達成するために提案されたものであって、第１の発明（請求項１記載の発明）は、赤外線通信制御装置に係るものであり、それぞれが赤外線発光部及び赤外線受光部を有する二以上の赤外線通信装置を備え、これら赤外線通信装置間で赤外線を使用してデータ通信を行なう赤外線通信制御装置であって、データ通信を開始しようとする一の赤外線通信装置における赤外線発光部は、発光する期間と発光しない期間とをそれぞれ一定期間設け、他の赤外線通信装置は、赤外線受光部により受光される受信信号の状態に基づいて外乱光の影響を検出し、外乱光の影響が所定未満であるときには、上記一の赤外線通信装置に対して応答信号を送信することにより、上記一の赤外線通信装置との間のデータ通信を開始できるようにし、外乱光の影響が所定以上であるときには、上記一の赤外線通信装置に対して応答信号を送信しないことにより、上記一の赤外線通信装置との間のデータ通信を開始できないようにすることを特徴とするものである。
【００１０】
また、第２の発明（請求項２記載の発明）は、それぞれが赤外線発光部及び赤外線受光部を有する二以上の赤外線通信装置を備え、これら赤外線通信装置間で赤外線を使用してデータ通信を行なう赤外線通信制御装置であって、一の赤外線通信装置から他の赤外線通信装置へ複数のデータビットから構成される１ブロック単位のデータを通信するときには、受信側の赤外線通信装置は、短時間で回復する瞬間的な外乱光を防ぐために、１ビット単位の状態判定を所定の継続回数、または、所定の継続時間に亘って行い、これら所定の継続回数、または、所定の継続時間における判定結果に基づいて、正しいデータビットを判定することを特徴とするものである。
【００１１】
また、第３の発明（請求項３記載の発明）は、電力量計に係るものであって、前記請求項１又は請求項２記載の赤外線通信制御装置を構成する二以上の赤外線通信装置のうちの何れか一と、設定値及び計量値を記憶するメモリとを備え、通信を要求する外部の赤外線通信装置との間で、上記赤外線通信装置を介して、上記設定値の書込み、または、上記計量値の読出しに関するデータの通信を行うとき、このデータの通信方向及びこのデータの種類を指示する信号を含めて通信することにより、このデータが設定値であるか、または、計量値であるかの判別を行うことを特徴とするものである。
【発明の効果】
【００１２】
上記第１の発明（請求項１記載の発明）に係る赤外線通信制御装置においては、データ通信を開始しようとする一の赤外線通信装置において、発光する期間と発光しない期間とがそれぞれ一定期間設けられており、受信側となる他の赤外線通信装置は、受信信号の状態に基づいて外乱光の影響を検出し、外乱光の影響が所定未満であるときのみにデータ通信を開始できるようにするので、装置構成の複雑化を招来することなく、外乱光の影響を受け易い環境下においても、赤外線を用いたデータ通信を良好に開始できる。
【００１３】
また、第２の発明（請求項２記載の発明）に係る赤外線通信制御装置では、二以上の赤外線通信装置の間で複数のデータビットから構成される１ブロック単位のデータを通信するときには、受信側で１ビット単位の状態判定を所定の継続回数、または、所定の継続時間に亘って行い、これら所定の継続回数、または、所定の継続時間における判定結果に基づいて正しいデータビットを判定するので、瞬間的な外乱光の影響により、短時間に亘って外乱光の影響が現れても、データ通信が中止されることはなく、正常なデータの送受信が継続されるため、従来技術では、データの送受信中に外乱光の影響を検出すると、データ通信を中止して、後から１ブロック単位のデータを再度送信し直していたが、この赤外線通信制御装置においては、１ブロック単位のデータを改めて送信し直す必要はないので、通信効率が向上する。
【００１４】
また、第３の発明（請求項３記載の発明）に係る電力量計においては、上記第１又は第２の発明に係る赤外線通信制御装置を用いて、制御装置との間で、データと、このデータの通信方向及びこのデータのメモリにおける格納エリアを指示する信号とが通信されるので、このデータが設定値であるか、または、計量値であるかの判別を行うことができ、安定確実で効率の良いデータ通信が可能となる。
【００１５】
すなわち、本発明は、装置構成の複雑化を招来することなく、赤外線を用いたデータ通信が、外乱光の影響を受け易い環境下においても、良好且つ効率よく行えるようになされた赤外線通信制御装置を提供し、また、このような赤外線通信制御装置を用いた電力量計を提供することができるものである。
【発明を実施するための最良の形態】
【００１６】
以下、本発明を実施するための最良の形態について図面を参照しながら説明する。
【００１７】
〔赤外線通信制御装置の第１の実施の形態〕
以下、本発明に係る赤外線通信制御装置の第１の実施の形態について、図１及び図２を用いて説明する。図１は、本実施の形態における赤外線通信制御装置の主要構成を示すブロック図である。この赤外線通信制御装置は、第１の赤外線通信装置となるマスタ装置１と、第２の赤外線通信装置となるスレーブ装置２とを備えている。上記マスタ装置１は、マイクロコンピュータからなる制御部１０と、この制御部１０によって通信制御される赤外線発光部１１及び赤外線受光部１２とを備え、また、上記スレーブ装置２は、マイクロコンピュータからなる制御部２０と、この制御部２０によって通信制御される赤外線受光部２１及び赤外線発光部２２とを備えている。そして、上記マスタ装置１の赤外線発光部１１により発光される光信号Ｓは、上記スレーブ装置２の赤外線受光部２１によって受光される。また、上記スレーブ装置２の赤外線発光部２２により発光される光信号Ｒは、マスタ装置１の赤外線受光部１２によって受光される。
【００１８】
また、図２は、本発明に係る赤外線通信制御装置の第１の実施の形態におけるデータ送受信の開始状態を示すタイミングチャートである。先ず、上記マスタ装置１がスレーブ装置２に対して、赤外線によるデータ通信を開始しようとするときの動作を説明する。このとき、マスタ装置１の制御部１０から、赤外線発光部１１に対して、レベル１のＳＴ１信号を出力するように指示が出される。この指示を受けた赤外線発光部１１は、図２に示すように、ＳＴ１信号を光信号Ｓとして発光し出力する。光信号Ｓは、スレーブ装置２の赤外線受光部２１によって受光され、制御部２０によりレベルを判定される。このとき、制御部２０は、レベル１の状態が予め定められた判定条件だけ継続したときには、ＳＴ１信号が受信されたと判定する。制御部２０は、ＳＴ１信号の受信を判定すると、ＳＴ１信号の受信応答として、赤外線発光部２２に対して、レベル１の応答信号を出力するように指示を出す。この指示を受けた赤外線発光部２２は、応答信号を光信号Ｒとして発光し出力する。この光信号Ｒは、マスタ装置１の赤外線受光部１２によって受光され、制御部１０により応答信号のレベルが判定される。そして、上記マスタ装置１の制御部１０は、ＳＴ１信号の応答信号が受信されたと判定すると、赤外線発光部１１に対して、レベル０のＳＴ２信号を出力するように指示を出す。指示を受けた赤外線発光部１１は、ＳＴ２信号を光信号Ｓとして消光し出力する。光信号Ｓは、スレーブ装置２の赤外線受光部２１によって受光され、制御部２０によりレベルを判定される。この制御部２０は、レベル０の状態を判定すると、赤外線発光部２２に対して、応答信号をレベル０にするように指示を出す。指示を受けた赤外線発光部２２は、光信号Ｒを消光し出力する。そして、制御部２０は、レベル０の状態が予め定められた判定条件だけ継続したときには、ＳＴ２信号が受信されたと判定する。制御部２０は、ＳＴ２信号の受信を判定すると、ＳＴ２信号の受信応答として、赤外線発光部２２に対して、レベル１の応答信号を出力するように指示を出す。この指示を受けた赤外線発光部２２は、応答信号を光信号Ｒとして発光し出力する。光信号Ｒは、マスタ装置１の赤外線受光部１２によって受光され、制御部１０により応答信号のレベルが判定される。上記マスタ装置１の制御部１０は、ＳＴ２信号の応答信号の受信を判定すると、外乱光の影響が低く、データ送受信の通信環境が正常と確認されたものと判断し、赤外線発光部１１に対して、データ信号を出力するように指示を出し、データ送信を開始する。
【００１９】
次に、ＳＴ２信号の送受信において、外乱光の影響がある場合について説明する。すなわち、上記スレーブ装置２がＳＴ１信号に対して応答信号を送信した後、マスタ装置１の制御部１０は、ＳＴ１信号の応答信号が受信されたと判定すると、赤外線発光部１１に対して、レベル０のＳＴ２信号を出力するように指示を出す。指示を受けた赤外線発光部１１は、ＳＴ２信号を光信号Ｓとして消光し出力する。この光信号Ｓは、スレーブ装置２の赤外線受光部２１によって受光され、制御部２０によりレベルを判定される。この制御部２０は、レベル０の状態を判定すると、赤外線発光部２２に対して、応答信号をレベル０にするように指示を出す。この指示を受けた赤外線発光部２２は、光信号Ｒを消光し出力する。また、制御部２０は、レベル０の状態が予め定められた判定条件だけ継続したときには、ＳＴ２信号が受信されたと判定する。しかし、このとき、レベル０の状態が予め定められた判定条件だけ継続せずに、外乱光によりレベル０の状態がレベル１に変化したときには、制御部２０は、外乱光の影響により、データ送受信の通信環境が異常であると判断する。そして、この制御部２０により、通信環境が異常であると判断されたときには、赤外線発光部２２に対して、ＳＴ２信号の受信応答としてのレベル１の応答信号を出力しないように指示する。したがって、このとき、赤外線発光部２２は、応答信号を光信号Ｒとして発光出力しない。光信号Ｒはマスタ装置１の赤外線受光部１２によって受光され、制御部１０によりレベルを判定されるのであるが、制御部１０は、ＳＴ２信号の応答信号が受信できないため、データ送受信の通信環境が異常であると判断し、データ送信を中止する。また、上記マスタ装置１の制御部１０は、ＳＴ２信号の送信中において、すなわち、スレーブ装置２がＳＴ２信号の受信を判定している途中の状態において、外乱光によるレベル１の受光信号を検出すると、データ送受信の通信環境が異常であると判断し、データ送信を中止する。
【００２０】
上述したように、この実施の形態に係る赤外線通信制御装置においては、データ通信を行うに先だって、ＳＴ１信号及びこのＳＴ１信号に対する応答信号と、ＳＴ２信号及びこのＳＴ２信号に対する応答信号との送受信を行うことにより、外乱光の影響による通信環境の異常の有無を判別する。そして、通信環境に異常がないと判別された場合にのみ、データ通信を行うようにしている。
【００２１】
〔赤外線通信制御装置の第２の実施の形態〕
図３は、本発明に係る赤外線通信制御装置の第２の実施の形態におけるデータの送受信状態を示すタイミングチャートである。この実施の形態において、赤外線通信制御装置は、上述した第１の実施の形態におけると同様に、図１に示すように、第１の赤外線通信装置となるマスタ装置１と、第２の赤外線通信装置となるスレーブ装置２とを備えて構成される。なお、この実施の形態は、複数のデータビットから構成される１ブロック単位のデータを通信するときにおいて、１ビット単位のデータを正しく判別するものである。
【００２２】
先ず、上記マスタ装置１がスレーブ装置２に対して、赤外線通信によるデータ送信を行なうときの動作の一例を説明する。このとき、マスタ装置１の制御部１０から赤外線発光部１１に対して、レベル１のＤＴ１信号を出力するように指示が出される。このＤＴ１信号は、複数のデータビットから構成される１ブロック単位における１ビット単位のデータである。指示を受けた赤外線発光部１１は、図３に示すように、ＤＴ１信号を光信号Ｓとして発光し出力する。この光信号Ｓは、スレーブ装置２の赤外線受光部２１によって受光され、制御部２０によりレベルを判定される。上記制御部２０は、予め定められた判定条件、すなわち、１ビット単位の状態判別において、指定判定時間内における受信信号状態の指定継続回数、または、指定継続時間におけるＤＴ１信号のレベルを判定する。このとき、ＤＴ１信号はデータであるので、制御部２０によるレベルの判別は、指定継続回数のうちの所定回数以上がレベル「１」であるかどうか、または、指定継続時間のうちの所定時間以上がレベル「１」であるかどうかによって判別する。上記制御部２０は、ＤＴ１信号が受信されたと判定すると、ＤＴ１信号の受信応答として、赤外線発光部２２に対して、レベル１の応答信号を一定の時間だけ出力するように指示を出す。この指示を受けた赤外線発光部２２は、応答信号を光信号Ｒとして発光し出力する。この光信号Ｒは、マスタ装置１の赤外線受光部１２によって受光され、制御部１０により応答信号のレベルが判定される。また、上記マスタ装置１の制御部１０は、ＤＴ１信号の応答信号が受信されたと判定すると、次に続くデータビットＤＴ２信号をレベル０で出力するように指示を出す。指示を受けた赤外線発光部１１は、ＤＴ２信号を光信号Ｓとして消光し出力する。この光信号Ｓは、スレーブ装置２の赤外線受光部２１によって受光され、制御部２０によりレベルを判定される。
【００２３】
このとき、上記制御部２０は、受信信号のレベルの状態が予め定められた判定条件だけ継続することにより、ＤＴ２信号のレベル０を判定する。制御部２０は、ＤＴ２信号のレベルを判定すると、ＤＴ２信号の受信応答として、赤外線発光部２２に対して、レベル１の応答信号を一定の時間だけ出力するように指示を出す。指示を受けた赤外線発光部２２は、応答信号を光信号Ｒとして発光し出力する。この光信号Ｒは、マスタ装置１の赤外線受光部１２によって受光され、制御部１０により応答信号のレベルが判定される。上記マスタ装置１の制御部１０は、ＤＴ２信号の応答信号が受信されたと判定すると、その後、データ送信を継続する。
【００２４】
次に、ＤＴ２信号の送受信において、外乱光の影響がある場合について説明する。上記マスタ装置１の制御部１０は、ＤＴ１信号の応答信号が受信されたと判定すると、赤外線発光部１１に対して、レベル０のＤＴ２信号を出力するように指示を出す。指示を受けた赤外線発光部１１は、ＤＴ２信号を光信号Ｓとして消光し出力する。光信号Ｓは、スレーブ装置２の赤外線受光部２１によって受光され、制御部２０によりレベルを判定される。ここで、制御部２０は、レベルの状態が予め定められた判定条件だけ継続したときには、ＤＴ２信号が受信されたと判定するのであるが、この実施の形態においては、ＤＴ２信号のレベル判定条件は、指定判定時間内における所定の継続回数、または、所定の継続時間において、データビットが「１」か「０」かの状態を判定するものである。すなわち、このレベル判定は、１ビット単位の状態判別において、指定継続回数のうちの所定回数以上がレベル「１」であるかどうか、または、指定継続時間のうちの所定時間以上がレベル「１」であるかどうかによって判別する。したがって、ＤＴ２信号の受信中において、短時間で回復する瞬間的な外乱光の影響により、レベル０の状態が短時間に亘ってレベル１に変化しても、データ送信が中止されることはなく、正常なデータの送受信が継続されることになる。
【００２５】
上述のように、この赤外線通信制御装置においては、複数のデータビットから構成される１ブロック単位のデータを通信するときにおいて、この実施の形態においては、ＤＴ２信号の受信中における短時間で回復する瞬間的な外乱光の影響があっても正しいレベルを判定することができるため、データ送信が中止されることがない。
【００２６】
〔電力量計の第１の実施の形態〕
図４は、本発明に係る電力量計の第１の実施の形態における主要構成を示すブロック図である。この電力量計２ａは、図４に示すように、上述した赤外線通信制御装置におけるスレーブ装置２を含んで構成されており、外部の制御装置となるマスタ装置１との間で、データ通信を行うように構成されている。すなわち、マスタ装置１は、スレーブ装置２を備えた電力量計２ａに対して、赤外線通信によりデータ送受信を行う。マスタ装置１は、上述したように、制御部１０と、この制御部１０によって通信制御される赤外線発光部１１及び赤外線受光部１２とを備えている。この電力量計２ａは、制御部２０と、この制御部２０によって通信制御される赤外線受光部２１及び赤外線発光部２２とを備えている。また、上記制御部２０は、データを格納するメモリ２０Ｍを備えている。このメモリ２０Ｍにおいては、アドレス信号２０ＭＡに基づいてデータの格納エリアが指定され、また、Ｒ／Ｗデータ２０ＭＤに基づいてデータの書込み又は読出しが行われる。また、上記マスタ装置１の赤外線発光部１１からの光信号Ｓは、電力量計２ａの赤外線受光部２１によって受光される。また、電力量計２ａの赤外線発光部２２から発光される光信号Ｒは、マスタ装置１の赤外線受光部１２によって受光される。
【００２７】
図５は、本発明に係る電力量計２ａの第１の実施の形態におけるデータ受信（書込み）状態を示すタイミングチャートである。先ず、上記マスタ装置１が電力量計２ａに対して、赤外線通信によるデータ送信を行なうときの動作の一例について説明する。
【００２８】
上記マスタ装置１は、図５に示すように、電力量計２ａに対するデータ送受信の通信環境が正常であることを確認するため、赤外線通信制御装置の第１の実施の形態において説明したように、ＳＴ１信号を出力し、電力量計２ａから正常な応答があったときには、次に、ＳＴ２信号を出力し、電力量計２ａから正常な応答があったときには、データ送受信の通信環境が正常であると判断する。そして、マスタ装置１及び電力量計２ａは、データの送受信を開始した後は、赤外線通信制御装置の第２の実施の形態において説明した判定方法により、ビット単位のレベルを判定する。そして、マスタ装置１は、電力量計２ａに対して、データの通信方向を決めるため、データの書込みか、データの読出しかを指示するＲ／Ｗ信号を送信する。電力量計２ａは、Ｒ／Ｗ信号を正常に受信すると、Ｒ／Ｗ応答信号をマスタ装置１に送信する。マスタ装置１は、電力量計２ａがＲ／Ｗ応答信号を正常に受信すると、続いて、データの種類を出力する。電力量計２ａは、データの種類を受信すると、データの種類にしたがって、メモリ２０Ｍのアドレス信号２０ＭＡを作成する。Ｒ／Ｗ信号が書込み（Ｗ）を指示する信号の場合には、マスタ装置１は、電力量計２ａに対して、書込みＷデータを送信する。電力量計２ａは、書込みＷデータを受信し、マスタ装置１に対して応答信号を送信する。また、電力量計２ａは、アドレス信号２０ＭＡにより指定されているアドレスに基づいて、メモリ２０Ｍに対し、受信した書込みＷデータ２０ＭＤとして書込む。
【００２９】
図６は、本発明に係る電力量計２ａの第２の実施の形態におけるデータ送信（読出し）状態を示すタイミングチャートである。Ｒ／Ｗ信号が読出し（Ｒ）を指示する信号の場合には、図６に示すように、電力量計２ａは、データの種類を受信すると、データの種類の指示にしたがって、メモリ２０Ｍのアドレス信号２０ＭＡを作成する。このアドレス信号２０ＭＡに基づいて、メモリ２０Ｍから２０ＭＤを読出しＲデータとして読出して、マスタ装置１に対して送信する。マスタ装置１は、読出しＲデータを受信し、電力量計２ａに対して応答信号を送信する。そして、Ｒ／Ｗ信号の指示に拘わらず、Ｒ／Ｗデータ２０ＭＤの送受信が終了すると、図５及び図６に示すように、マスタ装置１から電力量計２ａに対して、チェック信号の送信を行なう。電力量計２ａは、チェック信号を受信すると、マスタ装置１に対して応答信号を送信する。このチェック信号は、正常にＲ／Ｗデータの送受信が行なわれたかどうかを連絡するためのものである。なお、この電力量計２ａにおいては、Ｒ／Ｗ信号、データの種類、Ｒ／Ｗデータ及びチェック信号の送受信に関して、赤外線通信制御装置の第２の実施の形態において説明した判定方法を実行することにより、外乱光の影響を受け易い環境下においても、安定、かつ、確実に、効率の良い赤外線データ通信の実現が可能となる。また、この電力量計２ａにおいては、電力量計２ａに対するデータ通信において、データの書込みか読出しかを指示することにより、「設定値の書込み」か「計量値の読出し」かを判断することができる。さらに、この電力量計２ａにおいては、Ｒ／Ｗ信号に対応して、指定されたデータの種類が正しい指示かどうかを確認することにより、誤ったメモリエリアへの書込みや、誤ったメモリエリアからの読出しを防止することができる。なお、データ通信の途中で異常が検出された場合には、受信側が応答信号の送信を中止し、送信側が無応答を検出することにより、データ通信を終了させることにより、誤ったデータ通信が継続されることを防止することができる。
【図面の簡単な説明】
【００３０】
【図１】本発明に係る赤外線通信制御装置の第１の実施の形態における主要構成を示すブロック図である。
【図２】上記赤外線通信制御装置によるデータ送受信の開始状態を示すタイミングチャートである。
【図３】本発明に係る赤外線通信制御装置の第２の実施の形態におけるデータの送受信状態を示すタイミングチャートである。
【図４】本発明に係る電力量計の第１の実施の形態における主要構成を示すブロック図である。
【図５】本発明に係る電力量計の第１の実施の形態におけるデータ受信（書込み）状態を示すタイミングチャートである。
【図６】本発明に係る電力量計の第１の実施の形態におけるデータ送信（読出し）状態を示すタイミングチャートである。
【符号の説明】
【００３１】
１    マスタ装置
２    スレーブ装置
２ａ    電力量計
１０    （マスタ装置１の）制御部
１１    （マスタ装置１の）赤外線発光部
１２    （マスタ装置１の）赤外線受光部
２０    （スレーブ装置２の）制御部
２０Ｍ    メモリ
２０ＭＡ    アドレス信号
２０ＭＤ    Ｒ／Ｗデータ
２１    （スレーブ装置２の）赤外線受光部
２２    （スレーブ装置２の）赤外線発光部
Ｓ    （マスタ装置１からの）発光信号
Ｒ    （スレーブ装置２からの）発光信号
【図１】
2005295191.tif 000003
【図２】
2005295191.tif 000004
【図３】
2005295191.tif 000005
【図４】
2005295191.tif 000006
【図５】
2005295191.tif 000007
【図６】
2005295191.tif 000008